(57)【要約】【課題】表示パネルが収納されるケースが変形するのを抑制することが可能な表示装置を提供する。【解決手段】この表示装置は、液晶表示パネル５が内部に収納されるケース３と、ケース３の内部に配置された枠体４とを備えている。そして、ケース３には、枠体の所定領域を露出させるための開口部３ｂおよび３ｃが設けられており、ケース３の開口部３ｂおよび３ｃから露出される枠体４の所定領域には、支持部材５１ａおよび５１ｂと当接する受け部４ｅおよび４ｆが設けられている。【選択図】図１
2008015294.tif 000002
【特許請求の範囲】
【請求項１】
外部支持部材により支持されることによって位置決めがなされる表示装置であって、
表示パネルと、
前記表示パネルが内部に収納されるケースと、
前記ケースの内部に配置された枠体とを備え、
前記ケースには、前記枠体の所定領域を露出させるための開口部が設けられており、
前記ケースの開口部から露出される前記枠体の所定領域には、前記外部支持部材と当接する受け部が設けられていることを特徴とする表示装置。
【請求項２】
前記受け部は、前記外部支持部材側に向かって突出するように形成されていることを特徴とする請求項１に記載の表示装置。
【請求項３】
前記受け部の突出高さは、前記ケースの外面よりも外側に突出しないように設定されていることを特徴とする請求項２に記載の表示装置。
【請求項４】
前記受け部は、絶縁材料によって構成されていることを特徴とする請求項１〜３のいずれかに記載の表示装置。
【請求項５】
前記受け部は、前記枠体に一体的に形成されていることを特徴とする請求項１〜４のいずれかに記載の表示装置。
【請求項６】
前記ケースは、前記ケースの収納領域を囲むように配置された第１側部を有するとともに、前記枠体は、前記ケースの第１側部に沿って配置された第２側部を有しており、
前記開口部は、前記ケースの第１側部に設けられているとともに、前記受け部は、前記枠体の第２側部に設けられていることを特徴とする請求項１〜５のいずれかに記載の表示装置。
【発明の詳細な説明】
【技術分野】
【０００１】
この発明は、表示装置に関し、特に、表示パネルが収納されるケースを備えた表示装置に関する。
【背景技術】
【０００２】
従来、表示装置として、液晶の光学的性質の変化を利用して表示を行う液晶表示装置が知られている。このような液晶表示装置では、液晶表示パネルの背面側にバックライトユニットが設けられており、そのバックライトユニットから発光される光が液晶表示パネルに照射されることによって、文字や画像などが表示される。また、従来の液晶表示装置では、液晶表示パネルやバックライトユニットなどの部品は、液晶表示パネルの表示領域のみが露出するように、板部材によって構成されたケースの内部に収納されている。すなわち、従来の液晶表示装置では、液晶表示パネルやバックライトユニットなどの部品は、液晶表示パネルの表示領域を除いて、ケースを構成する板部材によって覆われている（たとえば、特許文献１参照）。
【０００３】
ところで、近年、液晶表示装置などの表示装置は、車載用のナビゲーションシステムなどの表示部として用いられる場合がある。この場合には、表示装置は、一般的に、車両のコンソールボックスの内部に装着される。そして、表示装置がコンソールボックスの内部に装着された状態では、表示装置は、コンソールボックスの内部に設けられた支持部材により支持されることによって位置決めがなされている。
【０００４】
【特許文献１】特開２００６−１０７８９号公報
【発明の開示】
【発明が解決しようとする課題】
【０００５】
しかしながら、上記特許文献１に開示された従来の液晶表示装置をコンソールボックスの内部に装着する場合には、その液晶表示装置の位置決めは、支持部材を液晶表示装置のケースに当接させることによって行う必要がある。このため、従来の液晶表示装置をコンソールボックスの内部に装着する場合には、支持部材側から強い外力がケースに加わるので、ケースが変形するという問題点がある。特に、液晶表示装置のケースは、液晶表示装置の内部および外部で発生する電磁波の影響を抑制するために、電磁波シールド材として機能する金属板によって構成されている場合が多い。この場合、金属板からなるケースが変形すると、液晶表示パネルにキズが付いたり、液晶表示パネルの表示エリアが変化したりする恐れがある。
【０００６】
この発明は、上記のような課題を解決するためになされたものであり、この発明の目的は、表示パネルが収納されるケースが変形するのを抑制することが可能な表示装置を提供することである。
【課題を解決するための手段】
【０００７】
上記目的を達成するために、この発明の一の局面による表示装置は、外部支持部材により支持されることによって位置決めがなされる表示装置であって、表示パネルと、表示パネルが内部に収納されるケースと、ケースの内部に配置された枠体とを備えている。そして、ケースには、枠体の所定領域を露出させるための開口部が設けられており、ケースの開口部から露出される枠体の所定領域には、外部支持部材と当接する受け部が設けられている。
【０００８】
この一の局面による表示装置では、上記のように、ケースの内部に配置される枠体の所定領域に、外部支持部材と当接する受け部を設けることによって、外部支持部材をケースに当接させることなく、外部支持部材による表示装置の位置決めを行うことができる。これにより、外部支持部材をケースに当接させることに起因して、外部支持部材側から強い外力がケースに加わるという不都合が発生するのを抑制することができる。その結果、ケースが変形するのを抑制することができる。この場合、枠体が内部に配置されるケースに、枠体の所定領域を露出させるための開口部を設けるとともに、そのケースの開口部から露出される枠体の所定領域に、外部支持部材と当接する受け部を設けることによって、枠体がケースの内部に配置されていたとしても、受け部をケースの開口部から露出させることができる。これにより、枠体がケースの内部に配置されていたとしても、容易に、外部支持部材を受け部に当接させることができる。
【０００９】
上記一の局面による表示装置において、好ましくは、受け部は、外部支持部材側に向かって突出するように形成されている。このように構成すれば、確実に、外部支持部材を受け部に当接させることができる。これにより、外部支持部材による表示装置の位置決めを正確に行うことができる。
【００１０】
この場合、好ましくは、受け部の突出高さは、ケースの外面よりも外側に突出しないように設定されている。このように構成すれば、表示装置の外形が所定の規格に合わせて統一されている場合に、ケースの外面から受け部が突出することに起因して、表示装置の外形が規格外になるという不都合が発生するのを抑制することができる。
【００１１】
上記一の局面による表示装置において、好ましくは、受け部は、絶縁材料によって構成されている。このように構成すれば、受け部により電気的な絶縁を行うことができるので、受け部と当接する外部支持部材を介して、表示装置の内部で発生した電磁波ノイズが外部に漏れるという不都合が発生するのを抑制することができる。これにより、表示装置の内部で発生した電磁波ノイズが外部機器に悪影響を及ぼすのを抑制することができる。
【００１２】
上記一の局面による表示装置において、好ましくは、受け部は、枠体に一体的に形成されている。このように構成すれば、受け部として機能する所定部材を枠体に対して別途設ける場合に比べて、部品点数を削減することができる。
【００１３】
上記一の局面による表示装置において、好ましくは、ケースは、ケースの収納領域を囲むように配置された第１側部を有するとともに、枠体は、ケースの第１側部に沿って配置された第２側部を有しており、開口部は、ケースの第１側部に設けられているとともに、受け部は、枠体の第２側部に設けられている。このように構成すれば、容易に、受け部をケースの開口部から露出させることができる。
【発明の効果】
【００１４】
以上のように、本発明によれば、表示パネルが収納されるケースが変形するのを抑制することが可能な表示装置を得ることができる。
【発明を実施するための最良の形態】
【００１５】
図１は、本発明の一実施形態による液晶表示装置（表示装置）を前面側から見た場合の斜視図である。図２は、図１に示した一実施形態による液晶表示装置の平面図である。図３は、図１に示した一実施形態による液晶表示装置の分解斜視図である。図４は、図１に示した一実施形態による液晶表示装置のケースおよび枠体の斜視図である。図５および図６は、それぞれ、図２の２点鎖線で囲まれた領域ＡおよびＢの断面図である。図７は、図１に示した一実施形態による液晶表示装置を背面側から見た場合の斜視図である（液晶表示装置から背面側ケースを取り外した状態）。
【００１６】
まず、図１および図２を参照して、本実施形態による液晶表示装置４０は、車両のコンソールボックス（図示せず）の内部に装着することが可能なように構成されている。なお、本実施形態による液晶表示装置４０は、たとえば、車載用のナビゲーションシステムの表示部として利用される。そして、液晶表示装置４０がコンソールボックスの内部に装着された状態では、液晶表示装置４０は、コンソールボックスの内部に設けられた所定の支持部材により支持されることによって位置決めがなされる。
【００１７】
具体的には、図１および図２に示すように、液晶表示装置４０を支持するための所定の支持部材は、コンソールボックス（図示せず）の内部に設けられた２種類の支持部材５１ａおよび５１ｂを含んでいる。なお、支持部材５１ａおよび５１ｂは、本発明の「外部支持部材」の一例である。一方の支持部材５１ａは、液晶表示装置４０の下側の左右方向の両端部近傍に１つずつ配置されている。また、他方の支持部材５１ｂは、液晶表示装置４０の左側の上下方向の中央部近傍に１つだけ配置されている。
【００１８】
さらに、コンソールボックス（図示せず）の内部には、２種類の押圧部材５２ａおよび５２ｂが設けられている。一方の押圧部材５２ａは、液晶表示装置４０の上側の左右方向の両端部近傍に１つずつ配置されている。また、他方の押圧部材５２ｂは、液晶表示装置４０の右側の上下方向の中央部近傍に１つだけ配置されている。すなわち、一方の押圧部材５２ａは、液晶表示装置４０を挟んで支持部材５１ａと対向するように配置されているとともに、他方の押圧部材５２ｂは、液晶表示装置４０を挟んで支持部材５１ｂと対向するように配置されている。また、一方の押圧部材５２ａは、上側から下側（Ｙ方向）に移動可能に構成されており、液晶表示装置４０を上側から下側（Ｙ方向）に押圧する機能を有している。また、他方の押圧部材５２ｂは、右側から左側（Ｘ方向）に移動可能に構成されており、液晶表示装置４０を右側から左側（Ｘ方向）に押圧する機能を有している。
【００１９】
そして、液晶表示装置４０がコンソールボックス（図示せず）の内部に装着された状態では、液晶表示装置４０は、一方の押圧部材５２ａによりＹ方向に押圧されているとともに、他方の押圧部材５２ｂによりＸ方向に押圧されている。また、液晶表示装置４０は、一方の支持部材５１ａによりＹ方向へ移動しないように支持されているとともに、他方の支持部材５１ｂによりＸ方向へ移動しないように支持されている。すなわち、液晶表示装置４０がコンソールボックスの内部に装着された状態では、液晶表示装置４０の上下方向の位置決めが支持部材５１ａによってなされているとともに、液晶表示装置４０の左右方向の位置決めが支持部材５１ｂによってなされている。
【００２０】
次に、図１〜図７を参照して、本実施形態による液晶表示装置４０の構造について具体的に説明する。本実施形態では、図１および図４に示すように、前面側に位置する前面側ケース１と、背面側に位置する背面側ケース２とによって、液晶表示装置４０の箱状のケース３が構成されている。ケース３を構成する前面側ケース１および背面側ケース２は、それぞれ、約０．３ｍｍの厚みを有する金属板（板部材）からなる。また、前面側ケース１は、金属板が背面側に向かって垂直に折り曲げられることによって形成された側部１ａを有している。また、背面側ケース２は、金属板が前面側に向かって垂直に折り曲げられることによって形成された側部２ａを有している。そして、ケース３の側部３ａは、前面側ケース１の側部１ａおよび背面側ケース２の側部２ａを組み合わせることによって構成されている。また、ケース３の側部３ａは、ケース３の収納領域を囲むように配置されている。なお、側部３ａは、本発明の「第１側部」の一例である。
【００２１】
また、ケース３の内部には、ポリカーボネート樹脂（絶縁材料）からなる枠体４が配置されている。この枠体４は、４つの板状の側部４ａが一体的に連結されることによって枠状に形成されている。また、枠体４の側部４ａは、ケース３の側部３ａに沿って配置されている。なお、側部４ａは、本発明の「第２側部」の一例である。また、枠体４の内側には、後述する液晶表示パネル５（図３参照）を支持するための支持部４ｂが一体的に形成されている。
【００２２】
また、前面側ケース１は、その側部１ａが枠体４の側部４ａに取り付けられることによって、枠体４に対して固定されている。また、背面側ケース２は、その側部２ａが枠体４の側部４ａに取り付けられることによって、枠体４に対して固定されている。具体的には、前面側ケース１の側部１ａには、複数の係合穴１ｂが形成されているとともに、背面側ケース２の側部２ａには、複数の係合穴２ｂが形成されている。また、枠体４の側部４ａには、前面側ケース１の複数の係合穴１ｂとそれぞれ係合する複数の突出片４ｃと、背面側ケース２の複数の係合穴２ｂとそれぞれ係合する複数の突出片４ｄとが一体的に形成されている。
【００２３】
そして、前面側ケース１の係合穴１ｂが枠体４の突出片４ｃと係合し、かつ、背面側ケース２の係合穴２ｂが枠体４の突出片４ｄと係合することによって、前面側ケース１および背面側ケース２が同一の枠体４に対して固定されている。また、前面側ケース１および背面側ケース２が枠体４に対して固定されることによって、前面側ケース１および背面側ケース２によって構成されるケース３が箱状に保持されている。
【００２４】
ここで、本実施形態では、図１に示すように、ケース３の側部３ａに、枠体４の所定領域を露出させるための２種類の開口部３ｂおよび３ｃが設けられている。一方の開口部３ｂは、ケース３の下側の左右方向の両端部に１つずつ設けられている。また、他方の開口部３ｃは、ケース３の左側の上下方向の中央部に１つだけ設けられている。すなわち、一方の開口部３ｂおよび他方の開口部３ｃは、それぞれ、支持部材５１ａおよび５１ｂに対応する領域に設けられている。なお、一方の開口部３ｂの開口面積は、他方の開口部３ｃの開口面積よりも大きくなるように設定されている。
【００２５】
また、図１および図４に示すように、ケース３の側部３ａに設けられた開口部３ｂおよび３ｃは、ケース３を構成する前面側ケース１の側部１ａおよび背面側ケース２の側部２ａのうちの少なくとも一方に形成された切り欠き部によって構成されている。具体的には、一方の開口部３ａは、前面側ケース１の下側の側部１ａに形成された切り欠き部１ｃによって構成されているとともに、他方の開口部３ｃは、前面側ケース１の左側の側部１ａおよび背面側ケース２の左側の側部２ａにそれぞれ形成された切り欠き部１ｄおよび２ｃを組み合わせることによって構成されている。
【００２６】
また、本実施形態では、枠体４の側部４ａに、２種類の受け部４ｅおよび４ｆが設けられている。一方の受け部４ｅは、枠体４の下側の左右方向の両端部（ケース３の開口部３ｂに対応する領域）に１つずつ配置されている。また、他方の受け部４ｆは、枠体４の左側の上下方向の中央部（ケース３の開口部３ｃに対応する領域）に１つだけ配置されている。そして、一方の受け部４ｅおよび他方の受け部４ｃは、それぞれ、ケース３の開口部３ｂおよび３ｃから露出されている。このため、図１および図２に示すように、液晶表示装置４０がコンソールボックス（図示せず）の内部に装着された状態では、一方の受け部４ｅが支持部材５１ａと当接するとともに、他方の受け部４ｆが支持部材５１ｂと当接することになる。
【００２７】
また、本実施形態では、図５および図６に示すように、一方の受け部４ｅは、支持部材５１ａ側に向かって突出するように形成されているとともに、他方の受け部４ｆは、支持部材５１ｂ側に向かって突出するように形成されている。そして、一方の受け部４ｅおよび他方の受け部４ｆの突出高さは、ケース３の外側面よりも外側に突出しないように設定されている。本実施形態では、一方の受け部４ｅおよび他方の受け部４ｆの突出高さは、ケース３を構成する金属板の厚み（約３ｍｍ）と実質的に同じ値に設定されている。なお、一方の受け部４ｅの面積は、他方の受け部４ｆの面積よりも大きくなるように設定されている。
【００２８】
また、本実施形態では、一方の受け部４ｅおよび他方の受け部４ｆは、枠体４の側部４ａに一体的に形成されている。すなわち、本実施形態では、一方の受け部４ｅおよび他方の受け部４ｆは、枠体４の構成材料と同じポリカーボネート樹脂（絶縁材料）によって構成されている。
【００２９】
また、図３に示すように、ケース３の内部には、表示領域５ａおよび非表示領域５ｂを有する液晶表示パネル５と、その液晶表示パネル５の背面側に設けられたバックライトユニット６とが収納されている。液晶表示パネル５の表示領域５ａは、前面側ケース１に形成された開口部１ｅによって、ケース３から露出されている。なお、液晶表示パネル５は、本発明の「表示パネル」の一例である。また、本実施形態では、ケース３の前面側にタッチパネル３０が設けられており、そのタッチパネル３０によって液晶表示装置４０の操作が行われるように構成されている。
【００３０】
また、液晶表示パネル５は、アクティブマトリクス構造を有している。すなわち、図示しないが、液晶表示パネル５の各画素には、ＴＦＴ（Ｔｈｉｎ  Ｆｉｌｍ  Ｔｒａｎｓｉｓｔｏｒ：薄膜トランジスタ）が１つずつ設けられている。また、液晶表示パネル５のＴＦＴのソース（図示せず）には、ソースドライバ７を含むＦＰＣ（Ｆｌｅｘｉｂｌｅ  Ｐｒｉｎｔｅｄ  Ｃｉｒｃｕｉｔ：フレキシブルプリント配線板）８が接続されているとともに、液晶表示パネル５のＴＦＴのゲート（図示せず）には、ゲートドライバ９を含むＦＰＣ１０が接続されている。
【００３１】
また、バックライトユニット６は、バックライトカバー１１と、反射シート１２と、導光体１３と、光源１４と、光学シート１５とによって構成されている。バックライトカバー１１は、金属板からなるとともに、その金属板が前面側に向かって垂直に折り曲げられることによって形成された側部を有している。そして、反射シート１２、導光体１３、光源１４および光学シート１５は、バックライトカバー１１の内部に収納されている。反射シート１２は、ポリエステル樹脂からなるとともに、バックライトカバー１１の底面上に配置されている。また、反射シート１２は、バックライトカバー１１の内側面に沿って配置された側部を有している。導光体１３は、アクリル樹脂などの透明樹脂からなるとともに、反射シート１２の前面側において反射シート１２の側部に囲まれるように配置されている。光源１４は、ＣＦＬ（Ｃｏｌｄ  Ｆｉｕｏｒｅｓｃｅｎｔ  Ｌａｍｐｓ：冷陰極管）からなるとともに、導光体１３の３辺を囲むように配置されている。すなわち、光源１４は、導光体１３の３辺に沿って延びるようにコの字状に形成されている。この光源１４には、リード線１６を介してコネクタ１７が接続されている。
【００３２】
また、光学シート１５は、導光体１３の前面側の表面上に配置されている。また、光学シート１５は、拡散フィルム１８と、透明導電体フィルム１９と、拡散フィルム２０と、レンズフィルム２１と、輝度上昇フィルム２２とを含んでいる。一方の拡散フィルム１８は、光源１４からの光を横方向または縦方向に拡散させる機能を有するとともに、他方の拡散フィルム２０は、光源１４からの光を縦方向または横方向に拡散させる機能を有している。透明導電体フィルム１９は、ＩＴＯ（Ｉｎｄｉｕｍ  Ｔｉｎ  Ｏｘｉｄｅ）などの透明導電体からなるとともに、ノイズを吸収する機能を有している。レンズフィルム２１は、光源１４からの光の集光などを行う機能を有している。輝度上昇フィルム２２は、光源１４からの光の輝度を上昇させる機能を有している。また、上記した各フィルム１８〜２２は、この順番で、背面側（導光体１３側）から前面側に向かって積層されている。
【００３３】
また、図２および図７に示すように、バックライトユニット６の背面側（バックライトユニット６の液晶表示パネル５側とは反対側）には、制御基板（メイン基板）２３が設けられている。そして、ソースドライバ７を含むＦＰＣ８およびゲートドライバ９を含むＦＰＣ１０は、背面側に向かって折り曲げられることによって、制御基板２３に接続されている。また、ＦＰＣ８および１０が制御基板２３に接続された状態（図７の状態）では、ソースドライバ７およびゲートドライバ９が保護シート２４により覆われている。また、制御基板２３の背面側（制御基板２３のバックライトユニット６側とは反対側）には、サブ基板２５が設けられている。また、制御基板２３とサブ基板２５との間には、制御基板２３とサブ基板２５とを電気的に接続するためのコネクタ２６が設けられている。また、サブ基板２５には、バックライトユニット６から発光される光の輝度を測定するための輝度センサ２７が実装されている。
【００３４】
本実施形態では、上記のように、ケース３の内部に配置される枠体４の所定領域に、支持部材５１ａ（５１ｂ）と当接する受け部４ｅ（４ｆ）を設けることによって、支持部材５１ａ（５１ｂ）をケース３に当接させることなく、支持部材５１ａ（５１ｂ）による液晶表示装置４０の位置決めを行うことができる。これにより、支持部材５１ａ（５１ｂ）をケース３に当接させることに起因して、支持部材５１ａ（５１ｂ）側から強い外力がケース３に加わるという不都合が発生するのを抑制することができる。その結果、ケース３が変形するのを抑制することができる。この場合、金属板からなるケース３を用いた本実施形態では、金属板からなるケース３が変形することに起因して、ケース３の内部に収納される液晶表示パネル５や、ケース３の前面側に配置されるタッチパネル３０が損傷するという不都合が発生するのを抑制することができる。さらに、ケース３の内部に液晶表示パネル５が収納され、かつ、ケース３の前面側にタッチパネル３０が配置される本実施形態の構造では、ケース３の変形が抑制されることにより、液晶表示パネル５とタッチパネル３０との間の位置ずれの発生を抑制することができる。
【００３５】
また、本実施形態では、上記のように、枠体４が内部に配置されるケース３に、枠体４の所定領域を露出させるための開口部３ｂ（３ｃ）を設けるとともに、そのケース３の開口部３ｂ（３ｃ）から露出される枠体４の所定領域に、支持部材５１ａ（５１ｂ）と当接する受け部４ｅ（４ｆ）を設けることによって、枠体４がケース３の内部に配置されていたとしても、受け部４ｅ（４ｆ）をケース３の開口部３ｂ（３ｃ）から露出させることができる。これにより、枠体４がケース３の内部に配置されていたとしても、容易に、支持部材５１ａ（５１ｂ）を受け部４ｅ（４ｆ）に当接させることができる。
【００３６】
また、本実施形態では、上記のように、受け部４ｅ（４ｆ）を、支持部材５１ａ（５１ｂ）側に向かって突出するように形成することによって、確実に、支持部材５１ａ（５１ｂ）を受け部４ｅ（４ｆ）に当接させることができる。これより、支持部材５１ａ（５１ｂ）による液晶表示装置４０の位置決めを正確に行うことができる。
【００３７】
また、本実施形態では、上記のように、受け部４ｅ（４ｆ）の突出高さを、ケース３の外側面よりも外側に突出しないように構成することによって、液晶表示装置４０の外形が所定の規格に合わせて統一されている場合に、ケース３の外側面から受け部４ｅ（４ｆ）が突出することに起因して、液晶表示装置４０の外形が規格外になるという不都合が発生するのを抑制することができる。なお、所定の規格とは、たとえば、ＤＩＮ規格（ドイツ工業規格）である。
【００３８】
また、本実施形態では、上記のように、受け部４ｅ（４ｆ）を、ポリカーボネート樹脂（絶縁材料）により構成することによって、受け部４ｅ（４ｆ）により電気的な絶縁を行うことができるので、受け部４ｅ（４ｆ）と当接する支持部材５１ａ（５１ｂ）を介して、液晶表示装置４０の内部で発生した電磁波ノイズが外部に漏れるという不都合が発生するのを抑制することができる。これにより、液晶表示装置４０の内部で発生した電磁波ノイズが外部機器に悪影響を及ぼすのを抑制することができる。
【００３９】
また、本実施形態では、上記のように、受け部４ｅ（４ｆ）を、枠体４に一体的に形成することによって、受け部として機能する部材を枠体４に対して別途設ける場合に比べて、部品点数を削減することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、液晶表示装置に本発明を適用する例を説明したが、本発明はこれに限らず、液晶表示装置以外の表示装置にも適用可能である。
【００４２】
また、上記実施形態では、車載用の液晶表示装置に本発明を適用する例を説明したが、本発明はこれに限らず、車載用の液晶表示装置以外の液晶表示装置にも適用可能である。
【００４３】
また、上記実施形態では、枠体の下側に２つの受け部を設けたが、本発明はこれに限らず、枠体の下側に３つ以上の受け部を設けてもよいし、枠体の下側に１つだけ受け部を設けてもよい。また、押圧部材が液晶表示装置の下側に配置されている場合には、枠体の上側に受け部を設けるのが好ましい。
【００４４】
また、上記実施形態では、枠体の左側に１つだけ受け部を設けたが、本発明はこれに限らず、枠体の左側に２つ以上の受け部を設けてもよい。また、押圧部材が液晶表示装置の左側に配置されている場合には、枠体の右側に受け部を設けるのが好ましい。
【００４５】
また、上記実施形態では、枠体の側部に受け部を一体的に形成したが、本発明はこれに限らず、受け部として機能する部材を枠体の側部に後付けするようにしてもよい。
【００４６】
また、上記実施形態では、前面側ケースの側部および背面側ケースの側部の少なくとも一方を切り欠くことによって、枠体の所定領域を露出させるための開口部を形成したが、本発明はこれに限らず、ケースの側部に対して穴加工を施すことによって、枠体の所定領域を露出させるための開口部を形成してもよい。
【図面の簡単な説明】
【００４７】
【図１】本発明の一実施形態による液晶表示装置（表示装置）を前面側から見た場合の斜視図である。
【図２】図１に示した一実施形態による液晶表示装置の平面図である。
【図３】図１に示した一実施形態による液晶表示装置の分解斜視図である。
【図４】図１に示した一実施形態による液晶表示装置のケースおよび枠体の斜視図である。
【図５】図２の２点鎖線で囲まれた領域Ａの断面図である。
【図６】図２の２点鎖線で囲まれた領域Ｂの断面図である。
【図７】図１に示した一実施形態による液晶表示装置を背面側から見た場合の斜視図である（液晶表示装置から背面側ケースを取り外した状態）。
【符号の説明】
【００４８】
３  ケース
３ａ  側部（第１側部）
３ｂ、３ｃ  開口部
４  枠体
４ａ  側部（第２側部）
４ｅ、４ｆ  受け部
５  液晶表示パネル（表示パネル）
４０  液晶表示装置（表示装置）
５１ａ、５１ｂ  支持部材（外部支持部材）
【図１】
2008015294.tif 000003
【図２】
2008015294.tif 000004
【図３】
2008015294.tif 000005
【図４】
2008015294.tif 000006
【図５】
2008015294.tif 000007
【図６】
2008015294.tif 000008
【図７】
2008015294.tif 000009